(57)【要約】【課題】簡易な構造により、スクリーンが巻取軸に誤った方向に巻き取られるのを防止し、操作部材の操作を任意の位置で停止可能にすることにより、スクリーンの停止位置を所望の位置に変更できるようにする。【解決手段】軸受キャップ１４にスプリング２４を固定した軸キャップ２０を回転自在に支持させ、スプリング２４に嵌挿した調整部材２６を回転可能に支持させる。スプリング２４に沿って移動自在の駒２３を調整部材２６の溝部２６ａに嵌入する。スプリング２４の端部にネット８の開位置又は閉位置の限界を設定する駒止め２４ａ，２４ｂを設ける。駆動手段１７によるネット８の繰り出し又は巻き取り、あるいは調整部材２６の回転操作により、駒２３を調整部材２６の溝部２６ａに沿って駒止め２４ａ，２４ｂを限度として移動可能とする。【選択図】        図１
2005023577.tif 000002
【特許請求の範囲】
【請求項１】
スクリーンを巻き付けた巻取軸をスクリーンボックスの両端に設けた駆動キャップと軸受キャップで回転自在に支持すると共に、上記駆動キャップに巻取軸を正逆回転させる駆動手段を設けることにより、上記スクリーンの繰り出し及び巻き取りをできるようにした巻取式スクリーン装置において、
上記スクリーンボックスにおける軸受キャップに、巻取軸の一端に嵌着固定され、その内端にコイル状のスプリングを固定した軸キャップを回転自在に支持させると共に、上記スプリングに嵌挿した調整部材を外部からの操作により回転可能に支持させ、
上記調整部材の外面に軸線方向の溝部を設け、上記コイル状のスプリングに沿って移動自在の駒を該溝部に嵌入し、上記スプリングの端部あるいは溝部の端部に、スクリーンの開位置又は閉位置の限界を設定するための駒止めを設け、
上記駆動手段の操作によるスクリーンの繰り出し又は巻き取り、あるいは上記調整部材の回転操作により、上記駒を調整部材における溝部に沿って上記駒止めを限度として移動可能とした、
ことを特徴とする巻取式スクリーン装置。
【請求項２】
軸受キャップに、駒側からの回転力により上記調整部材が回転するのを防止するための回転防止手段を設けたことを特徴とする請求項１に記載の巻取式スクリーン装置。
【請求項３】
上記回転防止手段が、軸受キャップに着脱可能に嵌着され、その装着により上記調整部材における多角状頭部の周面に衝当する当接面をもった回転防止部材からなり、該当接面により調整部材の回転を阻止するものとしたことを特徴とする請求項２に記載の巻取式スクリーン装置。
【請求項４】
上記駒が、コイル状のスプリングに遊嵌したビーズ状部材であることを特徴とする請求項１又は２に記載の巻取式スクリーン装置。
【請求項５】
駆動キャップにおける上記駆動手段が、スクリーンの繰り出し又は巻き取りのための操作部材を巻き付けたプーリー部材を回転自在に支持することにより構成されていることを特徴とする請求項１乃至４のいずれかに記載の巻取式スクリーン装置。
【発明の詳細な説明】
【０００１】
【発明の属する技術分野】
本発明は、建物開口部に設置する目隠し用スクリーン、遮光用スクリーン、断熱用スクリーン、防虫用のロール網戸等の各種の巻取式のスクリーン装置に関するものである。
【０００２】
【従来の技術】
従来より、操作紐を操作してスクリーンの繰り出し又は巻き取りを行う巻取式のスクリーン装置は、例を挙げる間もなく一般に広く知られている。この種のスクリーン装置では、概して、スクリーンの巻取軸に連結されたプーリー部材を操作紐やチェーン等の操作部材の操作によって正逆回転させることにより該巻取軸を回転させ、上記スクリーンの繰り出し又は巻き取りを行うようにしている。
しかしながら、従来のこの種のスクリーン装置においては、通常、上記操作部材によってプーリー部材及び巻取軸が正逆方向に自由に回転させることができるため、スクリーンを全部繰り出した時点で操作部材の操作を停止させることなく、さらに操作部材の操作を行った場合、巻取軸を誤った方向、すなわちスクリーンを逆巻きする方向に巻き取ってしまうことになる。これによって、スクリーンの無理な巻き取りが行われ、スクリーンが破損する虞があるだけでなく、スクリーン装置自体が破損してしまう場合も考えられる。
【０００３】
また、スクリーン装置の設置場所や季節等によっては、日光の差し込み具合や風の入り具合等を調節するために、ユーザーにおいてスクリーンの停止位置を適宜調節することが望まれるが、上記従来のスクリーン装置では、スクリーンを所望の位置で停止させるために、操作部材の操作を任意の位置で自動停止させることができず、すなわち、ユーザーが所望の位置にスクリーンを停止させるには、当該スクリーン装置の開閉操作をする度に、上記操作部材を微妙に操作してスクリーンをユーザーの所望する位置に停止させる必要があり、当該スクリーン装置を設置する場所や季節等に応じて、日光の差し込み具合や風の入り具合等の調節を容易に行うことができないものである。
【０００４】
【発明が解決しようとする課題】
叙上に鑑みて、本発明の技術的課題は、簡易な構造により、スクリーンが巻取軸に誤った方向、すなわち逆巻きに巻き取られるのを防止すると共に、操作部材の操作を任意の位置で停止できるようにすることにより、スクリーンの停止位置をユーザーの所望の位置に変更できるようにした巻取式スクリーン装置を提供することにある。
【０００５】
【課題を解決するための手段】
上記課題を解決するための本発明は、スクリーンを巻き付けた巻取軸をスクリーンボックスの両端に設けた駆動キャップと軸受キャップで回転自在に支持すると共に、上記駆動キャップに巻取軸を正逆回転させる駆動手段を設けることにより、上記スクリーンの繰り出し及び巻き取りをできるようにした巻取式スクリーン装置において、上記スクリーンボックスにおける軸受キャップに、巻取軸の一端に嵌着固定され、その内端にコイル状のスプリングを固定した軸キャップを回転自在に支持させると共に、上記スプリングに嵌挿した調整部材を外部からの操作により回転可能に支持させ、上記調整部材の外面に軸線方向の溝部を設け、上記コイル状のスプリングに沿って移動自在の駒を該溝部に嵌入し、上記スプリングの端部に、スクリーンの開位置又は閉位置の限界を設定するための駒止めを設け、上記駆動手段の操作によるスクリーンの繰り出し又は巻き取り、あるいは上記調整部材の回転操作により、上記駒を調整部材における溝部に沿って上記駒止めを限度として移動可能としたことを特徴とするものである。
【０００６】
上記巻取式スクリーン装置においては、軸受キャップに、駒側からの回転力により上記調整部材が回転するのを防止するための回転防止手段を設けるのが適切であり、この場合に、上記回転防止手段は、軸受キャップに着脱可能に嵌着され、その装着により上記調整部材における多角状頭部の周面に衝当する当接面をもった回転防止部材からなり、該当接面により調整部材の回転を阻止するものとして構成することができ、また、上記駒は、コイル状のスプリングに遊嵌したビーズ状部材とすることができる。
更に、駆動キャップにおける上記駆動手段は、スクリーンの繰り出し又は巻き取りのための操作部材を巻き付けたプーリー部材を回転自在に支持することにより構成することができる。
【０００７】
上記巻取式スクリーン装置は、調整部材を外部から回転操作することにより、スプリングに遊嵌した駒が該調整部材の溝部に沿って上記駒止めを限度として移動する。したがって、スクリーンを任意の開位置に停止させた状態で、上記調整部材の操作により駒をスプリングの開位置側の限度の駒止めまで移動させれば、上記駆動手段によるスクリーンの繰り出し時において所望の開位置でスクリーンが停止し、それ以上スクリーンが繰り出されることはない。一方、上記スクリーンを任意の閉位置に停止させた状態で、上記調整部材の操作により駒をスプリングの閉位置側の限度の駒止めまで移動させれば、上記駆動手段によるスクリーンの巻き取り時において所望の閉位置でスクリーンが停止し、それ以上スクリーンが巻き取られることはない。
【０００８】
また、上記軸受キャップに、駒側からの回転力により調整部材が回転するのを防止するための回転防止手段を設けることにより、スクリーンの繰り出し又は巻き取りにより上記駒がスプリングの端部の駒止めまで移動した場合において、該駒側から調整部材に巻取軸の回転力が伝達するのを確実に防止し、延いては上記スクリーンを設定した開位置又は閉位置で確実に停止させることができる。
【０００９】
このように、本発明の巻取式スクリーン装置によれば、簡易な構造により、スクリーンが巻取軸に誤った方向、すなわち逆巻きに巻き取られるのを防止することができると共に、操作部材の操作を任意の位置で停止でき、延いてはスクリーンの停止位置をユーザーの所望の位置に変更することが可能になる。
【００１０】
【発明の実施の形態】
本発明の実施の形態を図面に基づいて詳細に説明するに、図１乃至図５は、本発明の巻取式スクリーン装置を防虫網戸に適用した場合の一実施例を示している。
この防虫網戸は、図１に示すように、建物開口部の上枠部材（図示省略）に沿って取り付けられるスクリーンボックス２と、該ボックス２の内部において回転自在に支持された巻取軸４と、該巻取軸４に巻き付けられて先端が上記ボックス２の下面のスリット６から導出されたスクリーンを構成する防虫ネット８と、該ネット８の先端に取り付けられたボトムバー１０と、上記ボックス２の両端部から下方に向けて縦設され、上記ネット８の開閉操作時に該ネット８及びボトムバー１０の左右両端部を摺動自在に案内する左右一対のガイドレール１２とを備え、後述する駆動キャップ１６に設けた駆動手段１７を構成する操作紐１８を操作して上記巻取軸４を正逆回転させることにより、上記ネット８の繰り出し及び巻き取りをできるようにしている。
【００１１】
上記スクリーンボックス２は、図１に示すように、その両端にそれぞれ軸受キャップ１４及び駆動キャップ１６を取り付けており、該軸受キャップ１４及び駆動キャップ１６におけるボックス２の内側に向く面に突設された軸支部１４ａ，１６ａに、上記巻取軸４の両端に嵌着した軸キャップ２０，２２により該巻取軸４が回転自在に支持されている。また、上記ボックス２の下面には、巻取軸４に巻き付けたネット８を導出するためのスリットが設けられている。
【００１２】
上記ボックス２の一端（図１において左端側）に取り付けた軸受キャップ１４は、図１及び図２に示すように、巻取軸４の一端（図１において左端側）に嵌着した軸キャップ２０を軸支部１４ａにおいて回転自在に支持しており、上記軸キャップ２０の内端には、上記ネット８の開位置又は閉位置の限界を設定するための駒２３を移動自在に遊嵌したコイル状のスプリング２４を固定している（図３参照）。また、該スプリング２４の軸受キャップ１４側及び駆動キャップ１６側の端部には、該部を巻取軸４の軸線方向に鉤形に折曲した駒止め２４ａ，２４ｂがそれぞれ形成されており、上記駒２３がこの駒止め２４ａに到達すると該駒２３の移動が停止するようになっている。そして、後述する調整部材２６を、その軸部２６Ａを上記軸キャップ２０及びスプリング２４に嵌挿すると共に、頭部２６Ｂを軸受キャップ１４から露出させることにより、外部からの操作により回転可能に支持している。上記駒２３は、図５に示すようなビーズ状部材として構成するのが好ましい。
【００１３】
上記調整部材２６は、図２及び図４に明確に示すように、その中央に操作部２６ｂを有する側面視略六角形の頭部２６Ｂと、該頭部２６Ｂの操作部２６ｂとは反対側の面から延びる軸部２６Ａとを備え、該軸部２６Ａの外面には軸線方向に溝部２６ａが形成されている。この調整部材２６は、上記ネット８の繰り出し時又は巻き取り時において、あるいは上記頭部２６Ｂの操作部２６ｂをドライバー等の調整手段３０により回転操作することにより（図２参照）、上記スプリング２４に遊嵌した駒２３が、溝部２６ａに沿って上記駒止め２４ａ，２４ｂを限度として移動できるように構成している（図５参照）。但し、上記溝部２６ａとの関係で必ずしも駒が駒止めまで移動できるとは限らない。また、駒２３の移動の限度を設定するための駒止めを、上記溝部２６ａの端部に設けることもできる。さらに、上記調整部材２６が駒２３側からの回転力によって回転するのを防止するための回転防止手段として、該調製部材２６の回転を阻止する回転防止部材２８を軸受キャップ１４に設けている。この回転防止部材２８は、上記軸受キャップ１４の下面の穴に嵌着して、上記調整部材２６の側面視略六角形状をなす頭部２６Ｂの周面の複数辺に衝当させる当接面２８ａを有し、該面の当接により、上記駒２３がスプリング２４の端部の駒止め２４ａ又は２４ｂに達した状態において、該駒２３側からの回転力により上記調整部材２６が回転するのを防止するものである。なお、２９は上記回転防止部材２８を軸受キャップ１４に固定しておく止めねじである。
【００１４】
一方、上記ボックス２の右端に取り付けた駆動キャップ１６は、上記巻取軸４を正逆回転させるための駆動手段１７を備えている。該駆動手段１７は、上記ネット８の繰り出し又は巻き取りのための操作部材としての操作紐１８を巻き付けたプーリー３２を回転自在に支持することにより構成されている。
【００１５】
上記巻取軸４には、防虫ネット８の一端を取り付けており、該ネット８をその巻取軸４の周囲に巻き付けている。そして、上記ボックス２の下面のスリットから上記ネット８を導出し、該ネット８の先端部に開閉操作用のボトムバー１０を取り付けている。該ボトムバー１０は、ネット８をボックス２から引き出したときに、該ネット８を常に緊張状態に保持し、それを建物開口部に張設しうる程度の重量をもたせ、その両端のガイド部８ａは上記ガイドレール１２に案内させている。
【００１６】
上記構成を有する巻取式スクリーン装置においては、駆動手段１７の操作により巻取軸４を回転駆動して該巻取軸４に巻き付けたネット８を繰り出し、あるいは巻き取るが、その差異、巻取軸４と共に回転する軸キャップ２０に設けたスプリング２４にもその回転が伝達される。一方、軸受キャップ１４に固定された調整部材２６の軸部２６Ａは、上記巻取軸４が回転してもそれとともに回転することはなく、そのため、上記スプリング２４に遊嵌するとともに調整部材２６の軸部２６Ａの溝部２６ａに嵌入した駒２３は、スプリング２４の回転に伴って溝部２６ａ内をいずれかの方向に移動し、それがスプリング２４の端部の駒止め２４ａまたは２４ｂに達したときには、その駒２３が移動できなくなることから、巻取軸４の回転が阻止される。そのため、上記調整部材２６による駒２３の初期位置調整により、巻取軸４の回転の限度を設定することができる。
【００１７】
すなわち、上記巻取式スクリーン装置は、調整部材２６の操作部２６ｂを外部からドライバー等の調整手段３０により回転操作することにより（図２参照）、スプリング２４に遊嵌した駒２３が、該調整部材２６における軸部２６Ａの溝部２６ａに沿って上記駒止め２４ａ，２４ｂを限度として移動する。したがって、ネット８を任意の開位置（閉位置）に停止させた状態で、上記調整部材２６の操作により駒２３をスプリング２４の開位置側の限度の駒止め２４ａに移動させれば、上記操作紐１８よるネット８の繰り出し時において所望の開位置で該ネット８が停止し、それ以上ネット８が繰り出されることはない。一方、上記調整部材２６の操作により駒２３をスプリング２４の閉位置側の限度の駒止め２４ｂに移動させれば、上記操作紐１８によるネット８の巻き取り時において所望の閉位置で該ネット８が停止し、それ以上ネット８が巻き取られることはない。
【００１８】
また、上記軸受キャップ１４に、駒２３側からの回転力により調整部材２６が回転するのを防止するための回転防止部材２８を設けているので、ネット８の繰り出し又は巻き取りにより上記駒２３がスプリング２４の端部の駒止め２４ａ又は２４ｂまで移動した状態において、該駒２３側から上記調整部材２６に巻取軸４の回転力が伝達するのを確実に防止することができ、延いては上記ネット８を設定した開位置又は閉位置で確実に停止させることができる。
【００１９】
このように、本発明の巻取式スクリーン装置によれば、簡易な構造により、ネット８が巻取軸４に誤った方向、すなわち逆巻きに巻き取られるのを防止することができると共に、駆動手段１７における操作紐１８の操作を任意の位置で停止でき、延いてはネット８の停止位置をユーザーの所望の位置に変更することが可能になる。
【００２０】
【発明の効果】
以上に詳述したように、本発明の巻取式スクリーン装置によれば、簡易な構造により、スクリーンが巻取軸に誤った方向、すなわち逆巻きに巻き取られるのを防止すると共に、操作部材の操作を任意の位置で停止できるようにすることにより、スクリーンの停止位置をユーザーの所望の位置に変更することができる。
【図面の簡単な説明】
【図１】本発明に係る巻取式スクリーン装置の実施例の部分破断正面図である。
【図２】同部分側面図である。
【図３】（ａ）は軸キャップにスプリングを固定した状態の正面図、（ｂ）は同左側面図である。
【図４】（ａ）は調整部材の正面図、（ｂ）は同左側面図である。
【図５】図１のＸ−Ｘ線における拡大断面図である。
【符号の説明】
２    スクリーンボックス
４    巻取軸
８    ネット
１４    軸受キャップ
１６    駆動キャップ
１７    駆動手段
１８    操作紐
２０，２２    軸キャップ
２３    駒
２４    スプリング
２４ａ，２４ｂ  駒止め
２６    調整部材
２６ａ  溝部
２８    回転防止部材
３２    プーリー
【図１】
2005023577.tif 000003
【図２】
2005023577.tif 000004
【図３】
2005023577.tif 000005
【図４】
2005023577.tif 000006
【図５】
2005023577.tif 000007